(57)【特許請求の範囲】
【請求項１】
装置本体に、複数種の試薬を収容する試薬容器の複数個を収容する試薬ストッカー及び前記複数種の試薬を貯蔵する試薬貯蔵ボトルが搭載されており、制御部に設けられたプログラムにしたがって検体が分析部に順次供給されて分析され、その分析結果が表示部の表示画面上に表示されるように構成された自動分析装置において、
前記表示部の表示画面上に、装置本体に搭載の前記試薬ストッカー及び複数種の試薬貯蔵ボトルとそれぞれ相似形の図形が表わされるとともに、試薬ストッカー内における各試薬の配置情報、管理番号、残数、及び、試薬貯蔵ボトル内の残量が模式的に表わされた在庫画面が表示され、かつ、その表示された在庫画面上において状態確認したい試薬を指定することにより、当該試薬の在庫確認動作が開始され、その確認結果が前記表示画面上に表示されるように構成したことを特徴とする自動分析装置。
【請求項２】
装置本体に、複数種の試薬を収容する試薬容器の複数個を収容する試薬ストッカー及び前記複数種の試薬を貯蔵する試薬貯蔵ボトルが搭載されており、制御部に設けられたプログラムにしたがって検体が分析部に順次供給されて分析され、その分析結果が表示部の表示画面上に表示されるように構成された自動分析装置において、
前記表示部の表示画面上に、装置本体に搭載の前記試薬ストッカー及び複数種の試薬貯蔵ボトルとそれぞれ相似形の図形が表わされるとともに、試薬ストッカー内における各試薬の配置情報、管理番号、残数、及び、試薬貯蔵ボトル内の残量が模式的に表わされた在庫画面が表示され、かつ、その表示された在庫画面上において状態確認したい試薬を指定することにより、当該試薬の在庫確認動作が開始され、その確認結果が前記表示画面上に表示されるように構成するとともに、試薬の在庫確認動作終了後の測定時には、装置本体に搭載されている検体の測定における進行状況が前記表示部の表示画面上に表示されるように構成したことを特徴とする自動分析装置。
【請求項３】
前記制御部および表示部が装置本体内に組み込まれ、表示部の表示画面が装置本体の前面に形成されている請求項１または２に記載の自動分析装置。
【発明の詳細な説明】
【０００１】
【発明の属する技術分野】
この発明は、自動分析装置に関し、特に、制御部に設けられたプログラムにしたがって多数の検体が分析部において順次分析され、その分析結果が表示部の表示画面上に表示されるように構成された自動分析装置に関する。
【０００２】
【従来の技術】
前記自動分析装置の一つに、血液などの検体を分析するための化学発光酵素免疫測定装置がある。そして、この化学発光酵素免疫測定装置においては、その分析に際して、標識試薬や基質試薬や発光試薬など測定項目に応じて各種の試薬を、検体を収容した固相チューブ（サンプル容器）内に分注することが行われるが、例えば特開平１０−３１１８３７号公報に開示されるように、試薬を収容した複数の試薬容器を保持する試薬ストッカーが、試薬の種類別に装置本体上に搭載されている。
【０００３】
また、前記化学発光酵素免疫測定装置においては、検体はそれぞれ独立した複数の固相チューブに分注され、例えば２ステップサンドイッチ法による酵素免疫測定は次のようにして行われる。
【０００４】
すなわち、
（１）まず、測定項目に応じた抗体が内壁に塗布された固相チューブをインキュベータにセットし、この固相チューブ内に検体を分注し、体温程度の恒温下で所定時間振とうを行って免疫第１反応を起こさせる。
（２）次に、前記固相チューブにバッファ液を注入してＢ／Ｆ分離を行った後に、測定項目に応じた一定量の標識試薬を添加して、所定時間振とうを行って免疫第２反応を起こさせる。
（３）そして、前記固相チューブにバッファ液を注入してＢ／Ｆ分離を行った後に、測定項目に応じた一定量の基質試薬を添加し、所定時間振とうを行って酵素反応を起こさせる。
（４）前記酵素反応によって固相チューブ内に生成した酵素反応液を、発光試薬が分注された化学発光検出部の測光セル内に供給し、発光反応を起こさせて、この発光反応時の発光量を電気的に測定し、その測定によって得られる電気信号をコンピュータで演算処理することにより酵素免疫の分析が行われる。
【０００５】
【発明が解決しようとする課題】
ところで、上記従来の化学発光酵素免疫測定装置においては、上記酵素免疫の分析に用いる各種の試薬の有無や試薬の残量などの在庫確認を、メニュー方式を用い、キーボード操作によって行ったり、あるいは、試薬容器の蓋の開閉動作によって試薬の交換を行ったものと擬制し、在庫確認のシーケンスを行うなどしていた。しかし、上記前者の手法では在庫確認に時間がかかり、また、後者の手法では必要ではないときにも在庫確認を行うといった問題があった。
【０００６】
そして、上記従来の化学発光酵素免疫測定装置においては、検体登録を行った後、反応が開始すると、測定状態の情報は、測定結果が出るまで全く知ることができなかった。そして、検体を分注した後、必要のない検体容器を取り出そうとする場合、全ての検体容器についてサンプリングが完了した後でないと、当該不要の検体容器を除去することができず、このため、緊急測定など飛び込みに即座に対応することができなかった。
【０００７】
なお、上述のような問題は、独り化学発光酵素免疫測定装置のみならず、制御部に設けられたプログラムにしたがって多数の検体が分析部において順次分析され、その分析結果が表示部の表示画面上に表示されるように構成された他の自動分析装置においても同様に生じているところである。
【０００８】
この発明は、上述の事柄に留意してなされたもので、その第１の目的は、試験員などオペレータにとって必要なときに、試薬の在庫確認を簡単に行うことができるようにした自動分析装置を提供することであり、その第２の目的は、検体の測定の進行状況を、オペレータが常に容易に把握することができるようにした自動分析装置を提供することである。
【０００９】
【課題を解決するための手段】
上記第１の目的を達成するため、この出願の第１の発明は、装置本体に、複数種の試薬を収容する試薬容器の複数個を収容する試薬ストッカー及び前記複数種の試薬を貯蔵する試薬貯蔵ボトルが搭載されており、制御部に設けられたプログラムにしたがって検体が分析部に順次供給されて分析され、その分析結果が表示部の表示画面上に表示されるように構成された自動分析装置において、前記表示部の表示画面上に、装置本体に搭載の前記試薬ストッカー及び複数種の試薬貯蔵ボトルとそれぞれ相似形の図形が表わされるとともに、試薬ストッカー内における各試薬の配置情報、管理番号、残数、及び、試薬貯蔵ボトル内の残量が模式的に表わされた在庫画面が表示され、かつ、その表示された在庫画面上において状態確認したい試薬を指定することにより、当該試薬の在庫確認動作が開始され、その確認結果が前記表示画面上に表示されるように構成されていることを特徴としている（請求項１）。
【００１０】
上記第１の発明においては、装置本体に搭載されている試薬の配置情報、管理番号、在庫量が表示画面上に模式的に表示されるので、試験員などオペレータが確認したいと思う試薬を確実に指定することができ、その指定に基づいて試薬の在庫確認動作が開始され、その確認結果が前記表示画面上に表示されるので、試薬の在庫状況を一目で把握することができる。
【００１１】
そして、上記第２の目的を達成するため、この出願の第２の発明は、装置本体に、複数種の試薬を収容する試薬容器の複数個を収容する試薬ストッカー及び前記複数種の試薬を貯蔵する試薬貯蔵ボトルが搭載されており、制御部に設けられたプログラムにしたがって検体が分析部に順次供給されて分析され、その分析結果が表示部の表示画面上に表示されるように構成された自動分析装置において、前記表示部の表示画面上に、装置本体に搭載の前記試薬ストッカー及び複数種の試薬貯蔵ボトルとそれぞれ相似形の図形が表わされるとともに、試薬ストッカー内における各試薬の配置情報、管理番号、残数、及び、試薬貯蔵ボトル内の残量が模式的に表わされた在庫画面が表示され、かつ、その表示された在庫画面上において状態確認したい試薬を指定することにより、当該試薬の在庫確認動作が開始され、その確認結果が前記表示画面上に表示されるように構成するとともに、試薬の在庫確認動作終了後の測定時には、装置本体に搭載されている検体の測定における進行状況が前記表示部の表示画面上に表示されるように構成されていることを特徴としている（請求項２）。
【００１２】
上記第２の発明においては、試薬の在庫状況を表示画面上で一目で把握することができるだけでなく、測定時には装置本体に搭載されている検体の測定における進行状況が表示画面上に表示されるので、オペレータはどの検体が測定においてどの状態にあるのかを目視により容易に把握することができる。
【００１３】
【００１４】
さらに、前記制御部および表示部を装置本体内に組み込み、表示部の表示画面を装置本体の前面に形成した場合（請求項３）、装置全体がコンパクトになり、操作性および視認性がより向上する。
【００１５】
【発明の実施の形態】
発明の実施の形態を、図面を参照しながら説明する。この出願の第１および第２の発明を説明する前に、自動分析装置としての化学発光酵素免疫測定装置の構成および動作について、図１〜図５を参照しながら説明する。図１は化学発光酵素免疫測定装置（以下、単に測定装置という）の外観を示す斜視図、図２はこの測定装置をその上部ケースを透視して示す斜視図、図３はこの測定装置の要部の概略構成を示す平面図、図４はインキュベータの一例を示す平面図、図５はインキュベータにおける固相チューブの流れを示す図である。
【００１６】
まず、図１〜図３において、１は装置本体の下部ケースで、その前面側下部には、フルキーボード２が挿抜自在に収納されるとともに、外部メモリとしてのフロッピーディスクを装着するためのフロッピーディスク装着部３が形成されている一方、後部側には、出力装置としてのプリンタ４が設けられている。そして、この下部ケース１の前面には、入力操作およびカラー表示が可能な例えばタッチパネル方式の液晶パネルよりなる表示部５が形成されており、この表示部５の裏面側には、装置全体を制御し、各種の演算を行う制御部６が設けられ、この制御部６には、各種の測定項目に応じた測定の手順に関するプログラムが設けられるとともに、各種の演算プログラムが格納されている。なお、７は下部ケース１の後部において開閉可能に枢着された上部ケースである。
【００１７】
そして、図２および図３において、８は下部ケース１の上面に形成される分析部で、大略、次のような各部からなる。すなわち、９は固相チューブストッカーで、例えばターンテーブルよりなり、図示していないステッピングモータによって回転駆動される。このターンテーブル９の上面には、平面形状方形の容器収容部９ａと平面形状三角形の容器収容部９ｂとが交互にそれぞれ６個ずつ形成されており、容器収容部９ａには、測定項目に応じた抗体が内壁に塗布されるとともにバッファ液を収容した複数種の固相チューブ１０ａが種類別に収容されている。また、容器収容部９ｂには、希釈時に用いる希釈チューブ１０ｂが収容されている。そして、１１はバーコードリーダで、容器収容部９ａに付設されたバーコード部１２を読み取るように構成されている。
【００１８】
１３は検体ストッカーで、例えばターンテーブルよりなり、図示していないステッピングモータによって回転駆動される。このターンテーブル１３の上面には、複数の収容部１３ａに区画され、これらの収容部１３ａに試料としての検体を収容した複数の検体容器１４が収容されている。
【００１９】
１５は標識試薬ストッカーで、例えばターンテーブルよりなり、図示していないステッピングモータによって回転駆動される。このターンテーブル１５には、複数（例えば８個）の収容部１５ａが回転軸を中心にして放射状に形成され、これらの収容部１５ａに各種の成分と反応する各種の標識試薬を収容した標識試薬容器１６が収容されている。そして、１７はバーコードリーダで、各収容部１５ａの外側面に付設された標識試薬の内容を表すバーコード部（図示していない）を読み取るように構成されている。なお、１８は冷却装置を備えたハウジングである。
【００２０】
１９はインキュベータで、前記固相チューブストッカー９、検体ストッカー１３、標識試薬ストッカー１５および後述する化学発光検出部３２のいずれにも近い位置に設けられている。このインキュベータ１９は、図４および図５に示すように、例えば平面視矩形状の恒温ブロック２０内の凹部内に、回転体２１ａ，２１ｂ、２２ａ，２２ｂにそれぞれ掛け渡され、互いに同期して同方向に回転（移動）する２つのエンドレスの搬送ベルト２３，２４を設け、各搬送ベルト２３，２４に等間隔に複数の容器保持部２５を設けるとともに、前記凹部の底面にヒータ（図示していない）を設けてインキュベータ１９全体を所定の恒温下に置くように構成されている。
【００２１】
そして、図４および図５において、２６，２７は隣り合う搬送ベルト２３，２４間に配置された容器受け渡し手段である。また、２８，２９は恒温ブロック２０に形成された固相チューブ供給部、固相チューブ取り出し部であり、固相チューブ取り出し部２９には容器排出部材３０および容器廃棄部３１が設けられている。
【００２２】
再び図２および図３において、３２は化学発光検出部で、図示は省略しているが、測光セルが積分球状に加工され、適宜温度に温調されたセルホルダに保持されるように設けられ、測光セルの左右両側にはそれぞれ低感度の光電子増倍管および高感度の光電子増倍管が設けられている。
【００２３】
そして、図２および図３において、３３は希釈用ロータ、３４は後述する第２、第３ノズルユニット３７，３８用洗浄ポットで、これらは固相チューブストッカー９、検体ストッカー１３、標識試薬ストッカー１５およびインキュベータ１９に囲まれた部分に設けられている。また、３５は真空チャックを備えたハンドリングユニットで、固相チューブストッカー９にストックされた固相チューブ１０ａを、容器供給部２８を経てインキュベータ１９の容器保持部２５に送り込むためのものである。
【００２４】
また、図２および図３において、３６は第１ノズルユニットで、容器保持部２５に保持された固相チューブ１０ａのシールをブレークして内部のバッファ液を吸引するためのノズル（図示していない）を備えている。３７，３８は第２および第３のノズルユニットで、バッファ液吸引後の固相チューブ１０ａに検体を分注するためのノズル（図示していない）を備えている。３９は標識試薬容器１６内の標識試薬を固相チューブ１０ａに分注するためのノズル（図示していない）を備えた第４ノズルユニットである。
【００２５】
さらに、図２および図３において、４０，４１は第１および第２の洗浄ノズルユニットで、それぞれのノズルユニット４０，４１には２連の洗浄ノズルが組み込まれ、いずれも洗浄用バッファ液の吸排液ノズル（図示していない）を備えており、第２洗浄ノズルユニット４１は、基質試薬の分注ノズル（図示していない）を備えている。４２は試料取り出しノズル（図示していない）を備えた第５ノズルユニットで、所定の酵素反応を完了した反応液を化学発光検出部３２の測光セルに供給する。４３は測光セル内に発光試薬と洗浄液とを順次に供給する第６ノズルユニットで、発光試薬供給用および洗浄液供給用のノズル（図示していない）を備えている。
【００２６】
そして、図２において、４４は基質液貯蔵ボトル、４５は発光試薬貯蔵ボトル、４６は緩衝液貯蔵ボトル、４７は蒸留水貯蔵ボトル、４８は洗浄用蒸留水貯蔵ボトル、４９は洗浄水貯蔵ボトルである。また、５０は定注器、５１は切換え弁である。
【００２７】
上述のように構成された化学発光酵素免疫測定装置において、例えば２ステップサンドイッチ法の酵素免疫分析は次のようにして行われる。すなわち、ハンドリングユニット３５によって、固相チューブストッカー９にストックされた固相チューブ１０ａを、容器供給部２８を経て搬送ベルト２３の容器保持部２５に供給し、第１ノズルユニット３６によって、この固相チューブ１０ａのシールをブレークし、内部のバッファ液を吸引させる。一方、第２または第３のノズルユニット３７，３８によってバッファ液吸引後の固相チューブ１０ａに検体を分注させる。
【００２８】
以上の工程は、インキュベータ１９の搬送ベルト２３，２４が所定の時間単位（例えば３０秒）毎に間欠移動される度に、繰り返し行われ、最終的には、固相チューブ１０ａが容器取り出し部２９にまで搬送されて、これが容器廃棄部３１に押し出されて廃棄されるのであり、この間に、搬送ベルト２３，２４の往動移動によって固相チューブ１０ａが振動し、固相チューブ１０ａ内の試料が振とうされるものであり、例えば３０秒中５秒間搬送ベルト２３，２４を３ｍｍ幅程度で約１０Ｈｚで前後移動して振動し、恒温下での所定時間（例えば１５分間）にわたる固相チューブ１０ａの振とうにより、この固相チューブ１０ａ内の試料に免疫第１反応を起こさせる。
【００２９】
前記免疫第１反応後、それぞれ搬送ベルト２３，２４による固相チューブ１０ａの１ピッチ当たりの間欠移動の間の時間内（例えば１０秒間）で、Ｂ／Ｆ分離と標識試薬の分注を行わせるのであって、恒温下での所定時間（例えば１５分間）にわたる振とうにより、固相チューブ１０ａ内の試料に免疫第２反応を起こさせるのである。すなわち、第１洗浄ノズルユニット４０によって洗浄用バッファ液を固相チューブ１０ａに供給しつつ、このバッファ液とともに固相チューブ１０ａ内の未反応液を吸引廃棄させ、このＢ／Ｆ分離後に、測定項目に応じた一定量の標識試薬を、第４ノズルユニット３９のノズルによって固相チューブ１０ａに分注させ、この免疫第２反応後に、第２洗浄ノズルユニット４１によって洗浄用のバッファ液を固相チューブ１０ａに供給しつつ、このバッファ液とともに固相チューブ１０ａ内の未反応液を吸引廃棄させる。
【００３０】
次いで、前記Ｂ／Ｆ分離後に、一定量の基質試薬を、第２洗浄ノズルユニット４１のノズルによって固相チューブ１０ａに分注させて、今度は、所定時間（例えば１５分間）にわたる振とうにより、固相チューブ１０ａ内の試料に酵素反応を起こさせ、この反応によって固相チューブ１０ａ内には酵素反応による生成物（例えば過酸化水素）が発生する。この酵素反応液を第５ノズルユニット４２によって一定量分取し、化学発光検出部３２の測光セルに分注する。この測光セルには、第６ノズルユニット４３の発光試薬供給ノズルによって発光試薬が予め分注されている。そして、測光セル内で発光試薬と酵素反応液とが混合し、化学発光反応を生ずる。このときの化学発光量は光電子増倍管で測定され、その出力値をコンピュータで演算処理することにより、酵素免疫反応を介して得られる抗原または抗体の濃度が得られる。なお、試料分取後の固相チューブ１０ａは、搬送ベルト２３の容器取り出し部２９から容器廃棄部３１に押し出され、廃棄される。
【００３１】
上述のように、この発明の化学発光酵素免疫測定装置において、例えば２ステップサンドイッチ法による酵素免疫の分析を行う場合、検体はそれぞれ独立した複数の固相チューブ１０ａに分注され、上述したような手順で測定工程が順次進むが、２ステップサンドイッチ法においては、一つの検体はその測定の終了に４５分間かかる。つまり、固相チューブ１０ａをインキュベータ１９に供給し、この固相チューブ１０ａに検体を分注してから、その固相チューブ１０ａ内において、免疫第１反応、免疫第２反応、酵素反応が順次行われ、さらに、酵素反応による液を発光試薬が分注された測光セル内に供給して発光反応を起こさせるまでに、４５分間を要する。したがって、インキュベータ１９に１番目の固相チューブ１０ａを供給して以後、例えば３０秒間隔で固相チューブ１０ａをインキュベータ１９に供給し続けていくと、１番目の固相チューブ１０ａ内の試料が測光セル内において発光反応が生ずる４６．５分後には、９３番目の固相チューブ１０ａがインキュベータ１９に供給されることとなる。そして、前記１番目の発光反応について測光し、その発光量を測定する。
【００３２】
そこで、測定の登録を行った検体について、その測定開始時点、上記の例では固相チューブ１０ａをインキュベータ１９に供給した時点からの経過時間によって、各検体について「未測定」、「測定中」、「測定終了」に区別することができ、「未測定」は、測定登録されているが、インキュベータ１９に供給されてない状態、「測定中」は、反応後の液が発光セルに供給されるまでの状態、「測定終了」は、発光セルにおいて、測光し、その発光量が測定された状態をいう。このように、検体の測定における進行状態は、時間の経過状態をみることによって把握することができる。
【００３３】
また、上記化学発光酵素免疫測定装置において用いられる試薬は、その測定項目に応じて、一つの検体の測定に使用される量は定められている。したがって、この使用量に使用回数を乗ずることにより、同一測定項目の測定を複数の検体について測定した場合における試薬の消費量が求められる。そして、ある検体グループの複数の検体について測定を開始する前には、どの検体がどの測定項目について測定を行うかは制御部６のＲＡＭ内に登録される。したがって、一つのロットにおいて、多種の測定項目について測定が行われるような場合にも、前記（使用量）×（使用回数）といった演算を行うことにより、試薬ごとに消費量を求めることができる。
【００３４】
今、ある測定項目の測定に用いられる試薬が測定開始前に、容器に満杯収容されていたとし、これを当初値とする。この当初値から前記消費量を差し引くことにより、前記測定項目の測定を所定量の検体について測定した後の試薬残量が得られ、これを次の測定開始前における新しい当初値となる。以下、この手順を全ての試薬について行うことにより、各試薬の残量確認を行うことができる。
【００３５】
そこで、主として図６以下の図面を参照しながら、第１および第２の発明についてそれぞれ詳細に説明する。図６以下の図面は、入力操作およびカラー表示が可能な例えばタッチパネル方式の液晶パネルよりなる表示部５における画面を示している。
【００３６】
まず、第１の発明について説明すると、図６はシステムレディー画面（メイン画面）６０の一例を示し、このメイン画面６０には、装置本体に搭載されている試薬の項目名と、その項目の測定情報が表示される。すなわち、項目名、ロット番号、測定可能数、検量線の有無、標識試薬の総残量および固相チューブの総残量をそれぞれ表す欄が設けられる、この図において示される測定項目は、ＦＥＲ（フェリチン）、ＴＢＧ（サイロキシン結合グロブリン）、Ｔ４（総サイロキシン）、ＡＦＰ（α−フェトプロテイン）、ＣＥＡ（癌胎児性抗原）である。そして、この画面には、基質液、発光液、緩衝液、洗浄液、蒸留水、廃液の各タンクの残量アラームのインジケータ６１や、在庫、モニタ、登録、較正、設定、メンテナンス、データ、終了、ポーズ、プリントなどの各操作キー６２が設けられている。
【００３７】
そして、測定を行う前には、試薬の在庫状況を確認し、不足している場合には不足分を追加する必要があるが、前記図６に示したメイン画面において、在庫キーを操作することにより、図７に示すような在庫画面６３が表示される。そして、この在庫画面６３において符号６４，６５を付した図形は、図２および、図３に示した装置本体における固相チューブストッカー９および標識試薬ストッカー１５を模式的に表すものであるが、実際のストッカー９，１５とそれぞれ相似形に表されている。また、在庫画面６３において符号６６，６７を付した図形は、それぞれ基質液、発光液を収容するボトルと相似形に表されている。
【００３８】
そして、前記在庫画面６３においては、固相チューブ１０ａ、希釈チューブ１０ｂ、標識試薬、各種の基質液、各種の発光液の詳しい在庫状況を見ることができる。すなわち、
・固相チューブ１０ａについては、項目名、有効期限（１ヵ月前から日付が赤色反転表示される）、残チューブ数（実際に使用された時点で減る）、ロット番号、シリアル番号が表示される。
・希釈チューブ１０ｂについては、総残数が表示される。
・標識試薬については、設置されている各ボトルの項目名、検量線情報（標準／多点）、残量（回数）（実際に使用された時点で減る）、ロット番号、シリアル番号がそれぞれ表示される。
・基質液については、残量（回数）（実際に使用された時点で減る）、ロット番号、シリアル番号、有効期限（１ヵ月前から日付が赤色反転表示される）が表示される。
・発光液については、残量（回数）（実際に使用された時点で減る）、ロット番号、シリアル番号、有効期限（１ヵ月前から日付が赤色反転表示される）が表示される。
【００３９】
そして、前記在庫画面６３を見て、固相チューブ１０ａや希釈チューブ１０ｂあるいは、各種の基質液、各種の発光液を追加したり、取り除いたりする場合には、在庫画面６３において、以下の手順で在庫の更新を行う。すなわち、
（１）チューブや試薬を追加したり取り除く。
（２）更新するチューブや試薬を画面において選ぶ。
（３）自動的に在庫センス（在庫有無や個数の確認動作）が始まり、在庫数が更新される。
【００４０】
図８（Ａ），（Ｂ）は、それぞれ、固相・希釈チューブのセンスレディー画面、標識試薬のセンスレディー画面を示し、同図（Ｃ）は、基質液貯蔵ボトルＡのセンス中画面を示している。
【００４１】
上述したように、第１の発明においては、装置本体に搭載されている固相チューブストッカー９、標識試薬ストッカー１５及び基質液、発光液など試薬を収容するボトルと相似形の図形とともに、試薬の配置情報、管理番号、在庫量が表示画面上に模式的に表示されるので、試験員などオペレータが確認したいと思う試薬を確実に指定することができ、その指定に基づいて試薬の確認動作が開始され、その確認結果が前記表示画面上に表示されるので、試薬（チューブをも含む）の在庫状況を一目で把握することができる。したがって、第１の発明によれば、在庫確認を短時間で行えるとともに、必要なときに確実に在庫確認を行うことができる。
【００４２】
次に、第２の発明について説明する。前記試薬等の確認が終了すると、測定に入るわけであるが、この測定の前準備として、測定の登録を行う必要がある。図９は登録画面７０の一例を示し、この画面７０には測定の登録および登録情報が表示される。この画面７０には、登録入力したデータの送信、測定の開始を行うための開始キー、至急測定の登録を入力するための至急キー、測定登録の入力モードを設定するための入力キーを始めとして各種のキーが設けられている。また、画面７０の左側の表７１には、登録される検体が、検体の識別コードを表すＩＤ、検体がターンテーブル８において収容されている位置、測定項目名などとともに表示できるように構成されている。
【００４３】
そして、測定の登録は、前記入力キーによって開始され、位置や項目名などが図１０において符号７２で表される仮想キーを用いて入力される。図１１は登録中を表示する画面の例を示している。なお、図１０の登録画面７０において、送信前の登録は反転無しであるが、送信登録済のものは青色反転で表示される。
【００４４】
そして、前記開始キーで入力した登録が正式に受け付けられ、装置の機構部の初期化に続いて測定が開始される。図１２は測定開始直後の画面７３を表しており、サンプリングが終了した検体については、表７１の番号１，２の横に示すように、○印７４が表示される。そして、それ以外のサンプリングが終了していない検体については、前記○印が表示されることはない。
【００４５】
そして、時間が経過して、測定が終了し、結果が出た検体については、図１３におけるモニター画面（結果表示画面）７５に示すように、◎印７６が付される。なお、この他、図示してないが、エラーが発生し、サンプリングは終了したが結果が出なかった検体には、例えば●印を付したり、あるいは、エラーが発生し、サンプリングもせずに測定が終了した検体には−を付すようにしてもよい。
【００４６】
上述したように、第２の発明においては、装置本体に搭載されている検体の測定における進行状況が表示画面上に表示されるので、オペレータはどの検体が測定においてどの状態にあるのかを目視により容易に把握することができる。したがって、検体の測定状態が各検体ごとに確実に把握できるとともに、緊急測定など飛び込みに即座に対応することも可能になり、効率のよい測定を行うことができる。
【００４７】
そして、上記化学発光酵素免疫測定装置において、表示画面上に、装置本体に搭載されている試薬の配置情報、管理番号、在庫量が模式的に表示され、状態確認したい試薬が表示画面上において指定されると、当該試薬の確認動作が開始され、その確認結果が前記表示画面上に表示されるように構成するとともに、前記表示画面上に、装置本体に搭載されている検体の測定における進行状況が表示されるように構成してあってもよく、このようにした場合、使い勝手がより向上する。
【００４８】
また、上記化学発光酵素免疫測定装置において、制御部６および表示部５を装置本体内に組み込み、表示部５の表示画面を装置本体の前面に形成した場合、装置全体がコンパクトになり、操作性および視認性がより向上する。
【００４９】
さらに、上記化学発光酵素免疫測定装置においては、表示部５の表示画面が入力操作が可能なタッチパネル方式であったが、これに限られるものではなく、マウスやトラックボールなど適宜のポインティング装置によって、表示画面上を指示できるようにしてあってもよい。
【００５０】
上述の実施の形態においては、自動分析装置として化学発光酵素免疫測定装置を例に挙げてこれについて詳しく説明しているが、この発明は、他の自動分析装置においても同様に適用できることはいうまでもない。
【００５１】
【発明の効果】
以上説明したように、請求項１に記載の自動分析装置によれば、装置本体に搭載の試薬ストッカー及び複数種の試薬貯蔵ボトルとそれぞれ相似形の図形とともに、試薬ストッカー内における各試薬の配置情報、管理番号、残数、及び、試薬貯蔵ボトル内の残量が模式的に表わされた在庫画面が表示されるので、試験員などオペレータが確認したいと思う試薬を確実に指定することができ、その指定に基づいて試薬の在庫確認動作が開始され、その確認結果が前記表示画面上に表示されるので、試薬やチューブなどの在庫状況を一目で把握することができる。したがって、この発明の自動分析装置によれば、在庫確認を短時間で行えるとともに、必要なときに確実に在庫確認を行うことができる。
【００５２】
そして、請求項２に記載の自動分析装置によれば、請求項１による在庫確認動作後の測定時に装置本体に搭載されている検体の測定における進行状況が表示画面上に表示されるので、オペレータはどの検体が測定においてどの状態にあるのかを目視により容易に把握することができる。したがって、この発明の自動分析装置によれば、在庫確認とともに検体の測定状態が各検体ごとに確実に把握できるとともに、緊急測定など飛び込みに即座に対応することも可能になり、効率のよい測定を行うことができて、使い勝手の一層の向上を図ることができる。
【００５３】
また、請求項３に記載の自動分析装置によれば、装置全体がコンパクトになり、操作性および視認性がより向上する。
【図面の簡単な説明】
【図１】  この発明の自動分析装置の外観を示す斜視図である。
【図２】  前記自動分析装置をその上部ケースを透視して示す斜視図である。
【図３】  前記自動分析装置の要部の概略構成を示す平面図である。
【図４】  前記インキュベータの一例を示す平面図である。
【図５】  前記インキュベータにおける固相チューブの流れを示す図である。
【図６】  表示部におけるメイン画面の一例を示す図である。
【図７】  表示部における在庫画面の一例を示す図である。
【図８】  （Ａ）は表示部における固相・希釈チューブのセンスレディ−画面の一例を示す図、（Ｂ）は表示部における標識試薬のセンスレディ−画面の一例を示す図、（Ｃ）は表示部における基質液ボトルのセンス中画面の一例を示す図である。
【図９】  表示部における登録画面の一例を示す図である。
【図１０】  表示部における検体入力中画面の一例を示す図である。
【図１１】  表示部における登録中を表示する画面の一例を示す図である。
【図１２】  表示部における測定開始直後の画面の一例を示す図である。
【図１３】  表示部におけるモニター画面の一例を示す図である。
【符号の説明】
５…表示部、６…制御部、８…分析部、１５…標識試薬ストッカー、４４〜４９…試薬貯蔵ボトル。
【図１】
0004068772.tif 000002
【図２】
0004068772.tif 000003
【図３】
0004068772.tif 000004
【図４】
0004068772.tif 000005
【図５】
0004068772.tif 000006
【図６】
0004068772.tif 000007
【図７】
0004068772.tif 000008
【図８】
0004068772.tif 000009
【図９】
0004068772.tif 000010
【図１０】
0004068772.tif 000011
【図１１】
0004068772.tif 000012
【図１２】
0004068772.tif 000013
【図１３】
0004068772.tif 000014